(57)【要約】      （修正有）【課題】デジタルテレビとデータ放送回線を用いて番組の視聴予約を可能にすることで利便性を高め、かつ放送予定番組のプロモーション効果を高めて視聴率の向上を図ると共に番組の見逃しをなくす。【解決手段】放送局１は、放送予定番組のプロモーションデータを作成し、視聴者のテレビ３にこのデータを表示し、視聴者はこのデータを見ながらリモコンを用いて番組視聴予約を行う。この予約があると、放送局１側の管理サーバ５に登録されると共に視聴者の持つテレビ又は録画機器、またはメーカーの予約サービスへ予約データを送信して予約が完了する。予約時刻が近くなるとあらかじめデータ放送回線６を経由してテレビ３の画面に表示することで、番組の見逃しを防ぐ。【選択図】図１
2011188455.tif 000002
【特許請求の範囲】
【請求項１】
ａ．デジタルテレビとデータ放送回線を用いて行う有料放送番組のプロモーション及び視聴予約方法であって、
ｂ．視聴者側にはＢ−ＣＡＳカードＩＤ付のデジタルテレビ又はデジタル放送対応チューナー又はデジタル放送対応録画機器が備えられている、
ｃ．デジタル放送局側には、前記デジタルテレビ又はデジタル放送対応チューナー又はデジタル放送対応録画機器のＢ−ＣＡＳカードからＩＤを読み取り、これを格納すると共に放送予定番組のプロモーションデータ及び視聴データ及び視聴分析機能を有する管理サーバが備えられている、
ｄ．視聴者が前記放送局の本放送番組を前記テレビで視聴している画面の中に、放送局側からデータ放送回線を経由し放送予約画面が表示され、これをリモコンボタンで操作すると、放送予定番組のプロモーションデータ及びリモコン操作画面がテレビに表示される、
ｅ．視聴者がこの表示されたプロモーションデータ中から視聴予約を希望する番組を決定し、リモコンボタンを操作すると、前記放送局の管理サーバには、当該視聴者のテレビ又はデジタル放送対応チューナー又はデジタル対応録画機器のＢ−ＣＡＳカードのＩＤが記録され、同時に、予約データが記録される、
ｆ．視聴者は、リモコンボタンを操作して前記管理サーバに記録されている予約データをデータ放送回線を経由して閲覧することができる、
ｇ．ことを特徴とするデータ放送を用いて行う有料放送番組のプロモーション及び視聴予約方法。
【請求項２】
視聴者が本放送又は予約した番組を視聴している際に、管理サーバに記録されている予約番組の開始時刻が接近すると、視聴者のテレビ画面にこの予約番組が間もなく放送されることを知らせる情報がデータ放送回線を経由して表示される請求項１に記載のデータ放送を用いて行う放送番組のプロモーション及び視聴予約方法。
【請求項３】
前記管理サーバには、その他の視聴者が行っている番組の予約データが記録されていると共に、放送予定番組の予約状況がデータ化されていて、視聴者が予約する番組のプロモーションデータと共にその人気度が表示される、または他の放送予定番組の予約状況データをテレビの画面で見ることにより放送予定番組の人気度を知り、視聴予約の動機づけを行うことができるようにする請求項１に記載のデータ放送を用いて行う有料放送番組のプロモーション及び視聴予約方法。
【請求項４】
前記管理サーバは、視聴者の視聴履歴から、当該視聴者が興味を示しそうな放送予定番組を選び出し、この番組情報を視聴者へデータ放送回線を経由して送り届ける請求項１に記載のデータ放送を用いて行う有料放送番組のプロモーション及び視聴予約方法。
【請求項５】
前記予約した番組の予約データは、視聴者のテレビ又はチューナー又は録画機器に予約登録するか、テレビ又はチューナー又は録画機器のメーカーの番組予約サービスに予約データを送信して予約登録を行う請求項１に記載のデータ放送を用いて行う有料放送番組のプロモーション及び視聴予約方法。
【発明の詳細な説明】
【技術分野】
【０００１】
本発明は、有料放送局がデータ放送回線を利用して自局の放送番組の内容をあらかじめ視聴者に提供することにより視聴率の向上と視聴者の利便性の向上を図ると共に視聴者に対して番組の人気度とか視聴者の属性を基にして選定した放送予定番組の紹介等を行う有料放送番組のプロモーション及び視聴予約方法に関する。
【背景技術】
【０００２】
自局の放送番組の予告を放送中に行うことで視聴率の向上を図ることは各放送局で行っているが、番組の編成は通常約１ヶ月前には終えているので、この放送予定番組のプロモーションデータが視聴者のテレビ画面であらかじめ任意に視聴できるようにすれば、番組の宣伝になるばかりでなく、視聴者にとっては興味のある番組について視聴予定が立て易いと共にこれをあらかじめ予約しておくことができれば見逃すこともなくなる。
【０００３】
また、放送局側としては、視聴者の視聴傾向をあらかじめ知っておくようにすれば、視聴者に対して興味を惹きそうな番組を選定して放送予定番組の予告を提供することにより、効率的に予告効果を高めることができると共に今後の番組編成の一助とすることもできる。
【０００４】
現在、データ放送番組コンテンツを利用した視聴者に対する双方向サービスとして、特開２００２−１７１５０８号公報に掲載された内容のものが知られている。しかし、この内容は、放送番組の情報提供とこの情報に基づく予約方法に関するものではない。
【先行技術文献】
【特許文献】
【０００５】
【特許文献１】特開２００２−１７１５０８号公報
【発明の概要】
【発明が解決しようとする課題】
【０００６】
本発明は斯る点に鑑みて提供されるものであって、その目的は、視聴率の向上と番組予約の利便性と番組の視聴予定が立て易く、更に番組を見逃すことがないデジタルテレビ放送とデータ放送回線を利用した有料放送番組のプロモーション及び視聴予約方法を提供することである。
【課題を解決するための手段】
【０００７】
上記目的を達成するため、請求項１に記載の発明においては、
ａ．デジタルテレビとデータ放送回線を用いて行う有料放送番組のプロモーション及び視聴予約方法であって、
ｂ．視聴者側にはＢ−ＣＡＳカードＩＤ付のデジタルテレビ又はデジタル放送対応チューナー又はデジタル放送対応録画機器（以下単に「テレビ」という。）が備えられている、
ｃ．デジタル放送局側には、前記デジタルテレビのＢ−ＣＡＳカードのＩＤを読み取り、これを格納すると共に放送予定番組のプロモーションデータ及び視聴データ及び視聴分析機能を有する管理サーバが備えられている、
ｄ．視聴者が前記放送局の本放送番組を前記テレビで視聴している画面の中に、放送局側からデータ放送回線を経由し放送予約画面が表示され、これをリモコンボタンで操作すると、放送予定番組のプロモーションデータがテレビ画面に表示される、
ｅ．視聴者がこの表示されたプロモーションデータ中から視聴予約を希望する番組を決定し、リモコンボタンを操作すると、前記放送局の管理サーバには、当該視聴者のテレビのＢ−ＣＡＳカードのＩＤがとり込まれ、同時に、予約データが記録される、
ｆ．視聴者は、リモコンボタンを操作して前記管理サーバに記録されている予約データをデータ放送回線を経由して閲覧することができる、
ｇ．ことを特徴とするものである。
【０００８】
また、請求項２に記載の発明においては、前記請求項１に記載の視聴予約方法において、視聴者が本放送又は予約した番組を視聴している際に、管理サーバに記録されている予約番組の開始時刻が接近すると、視聴者のテレビ画面にこの予約番組が間もなく放送されることを知らせる情報がデータ放送回線を経由して表示されることを特徴とするものである。
【０００９】
この発明によると、番組の見逃しを防ぐことができる。
【００１０】
また、請求項３に記載の発明においては、前記請求項１に記載の視聴予約方法において、前記管理サーバには、その他の視聴者が行っている番組の予約データが記録されていると共に、放送予定番組の予約状況がデータ化されていて、視聴者が予約する番組のプロモーションデータと共にその人気度が表示される、または他の放送予定番組の予約状況データをテレビの画面で見ることにより放送予定番組の人気度を知り、視聴予約の動機づけを行うことができるようにすることを特徴とするものである。
【００１１】
この発明によると、視聴予約を行う際に他の視聴者の注目度、人気度を参考にすることができる。
【００１２】
また、請求項４に記載の発明においては、前記請求項１に記載の視聴予約方法において、前記管理サーバは、視聴者の視聴履歴から、当該視聴者が興味を示しそうな放送予定番組を選び出し、この番組情報を視聴者へデータ放送回線を経由して送り届けることを特徴とするものである。
【００１３】
この発明によると、番組の予約前に放送予定番組について、それぞれの人気度を知ることができるため、どの番組を予約するか迷っている際に参考にすることができる。
【００１４】
また、請求項５に記載の発明においては、前記請求項１に記載の視聴予約方法において、前記予約した番組の予約データは視聴者のテレビに予約登録するか、テレビメーカーの番組予約サービスに予約データを送信して予約登録を行うことを特徴とするものである。
【００１５】
この発明によると、予約の利便性が向上する。
【発明の効果】
【００１６】
上記本発明は次の効果を奏する。
ａ．視聴者は、データ放送回線のリモコンボタンを操作するだけで編成を終えた放送予定番組のプロモーションデータを視聴し、この中から視聴したい番組だけをリモコンボタンを操作して予約をすることができるため、番組予約の利便性が向上する（請求項１）。
ｂ．放送局としては、放送予定番組のプロモーションデータを視聴者に届けることができるため、番組の宣伝効果を高めることができる（請求項１）。
【００１７】
ｃ．視聴者が予約した番組の開始前に放送局側からあらかじめ予約番組の放送日または時刻情報がデータ放送回線を用いて予約視聴者に寄せられるため、番組の見逃しがなくなる（請求項２）。
ｄ．多数の視聴者からの番組ごとの予約傾向、件数等を分析し、集計したデータを視聴者に提供することにより、視聴者が予約したい番組を決定する際にこのデータを参考にしたり、視聴の動機づけを行うことができる（請求項３）。
ｅ．また、番組予約の傾向、件数等から、番組の人気度を計り、今後の番組編成作業の参考に利用できる（請求項３）。
【００１８】
ｆ．また、放送局としては、当該視聴者の番組の予約履歴から、当該視聴者が興味を持つと考えられる番組を当該視聴者に提供することにより、番組の宣伝と視聴率の向上を図ることができる（請求項４）。
ｇ．予約した番組は、視聴者のテレビメーカーの番組予約サービスに自動的に登録されるため、いちいち録画操作を行う必要がなく、手間が省ける（請求項５）。
【図面の簡単な説明】
【００１９】
【図１】本発明を実施するシステムの概念図
【図２】予約手順の画面遷移のイメージ説明図
【図３】番組予約のフローを示す説明図
【図４】番組予約のフローを示す説明図
【図５】番組予約のフローを示す説明図
【発明を実施するための形態】
【実施例】
【００２０】
本発明は、プロモーションデータを見ながら簡単に番組の視聴予約を実行できるもので、この予約の実行はデータ放送回線を利用してリモコンを操作しながら行う。
【００２１】
放送局側には管理サーバが備えられており、この管理サーバには、編成を終えた放送予定番組のプロモーションデータが格納されている。
【００２２】
また、管理サーバには、視聴予約の申し込みがあった場合に、当該申し込み者のテレビのＢ−ＣＡＳカードからＩＤ情報を取り込んで記録する機能と、予約した番組表を作成して視聴者のテレビメーカーの予約サービスに、データ放送回線を経由して予約データを送信する機能と、多数の視聴者からの予約状況を分析し、データ化して保存し、これを視聴者からの求めにより、あるいはプロモーションデータと共に送信する機能と、予約日または時間が迫ったところで視聴者へその旨を通知する機能を有している。
【００２３】
図１乃至図５を用いて本発明の実施例を詳細に説明する。
【００２４】
図１は、本発明に係る視聴予約方法を実施するシステムの概念図であって、１はデジタル有料放送局（以下単に「放送局」という。）、２は放送衛星、３はデジタルテレビ（以下単に「テレビ」という。）であって、放送局１から送信された放送番組は、放送衛星２を経由してテレビ３にて視聴が可能である。また、このテレビ３は、リモコン３ａを利用して放送の受信あるいはデータ放送の受信制御が可能である。
【００２５】
４は、インターネット回線、５は放送局１側に備えられた管理サーバであって、この管理サーバ５と前記テレビ３間は、ＳＳＬで暗号化されたデータがデータ放送回線６を経由して送信される。
【００２６】
５ａ〜５ｄは、管理サーバ５内の各機能サーバであって、５ａはＢ−ＣＡＳカードＩＤの取得、管理を主とする顧客管理サーバ、５ｂは放送予定番組及びこのプロモーションデータ管理を行う番組情報管理サーバ、５ｃはウェブサーバ、５ｄはメールサーバである。
【００２７】
次に、図２を用いて本放送とデータ放送の画面の遷移を説明する。
【００２８】
本放送とデータ放送は、視聴者のテレビ３の画面に、トップメニュー画面Ｐ１として表示され、このトップメニュー画面Ｐ１からＮＶ−ＲＡＭ管理メニュー画面Ｐ２、ガイダンス画面Ｐ３、利用規約、パーミッション画面Ｐ４、放送時でのデータ放送サービス画面Ｐ５等へ移行することができる。
【００２９】
そして、ガイダンス画面Ｐ３、利用規約、パーミッション画面Ｐ４から一次リンクメニュー画面Ｐ６へ移行すると、例えばＭｙＷＯＷＯＷ画面Ｐ７、各種番組の人気ランキング画面Ｐ８、今月の特集番組画面Ｐ９、放送局１からのおすすめ番組画面Ｐ１０、放送予定番組表検索画面Ｐ１１、視聴者がこれまで予約した番組内容から視聴者の好みを判断して放送予定番組を推奨するプレゼント画面Ｐ１２からプレゼント画面Ｐ１３へと移行が可能である。
【００３０】
また、画面Ｐ７〜Ｐ１１を選択すると、選択した番組の詳細プロモーション画面Ｐ１４へと移行して、プロモーションデータを見ることができる。
【００３１】
次に、データ放送での番組管理を図３乃至図５を用いて説明する。
【００３２】
先ず、図３において、Ｓ１でデータ放送がスタートすると、管理サーバ５は、Ｓ２で番組情報格納部から、本編放送番組の番組情報を取得する。次に、Ｓ３でデータ放送コンテンツ格納部からコンテンツを取得する。次に、Ｓ４で映像音声ストリームとデータ放送ストリームを多重化して、放送波で送出する。ここまでが送信側である。
【００３３】
次に、受信装置（放送波）側においては、Ｓ５で放送チャンネルを選択すると、Ｓ６で選択されたチャンネル放送波を受信し、多重化ストリームを個別ストリームに分離する。次に、Ｓ７で分離された映像音声ストリームから映像信号と音声信号を復号する。
【００３４】
次に、Ｓ８でデータ放送ストリームを復号して、プログラムを解釈実行し、Ｓ９でリモコンのｄボタン等でデータ放送起動を選択する。この結果、Ｓ１０でメニュー画面表示があり、ここにサービスの説明や利用方法等を案内するとともにリモコン利用ボタンの案内を表示する。
【００３５】
次に、図４のＳ１１で個人情報の利用については、サービス利用と同時か別々かのサービス利用の有無を確認し、有の場合、Ｓ１２で受信機判定を行い、ＬＡＮ接続ありの場合にＳ１３において、個人情報の利用についての利用ＯＫの場合のみ受信機のＢ−ＣＡＳカードＩＤと視聴番組のイベント情報を取得し、Ｓ１４で取得情報をＢＭＬサーバに送信し、次にＳ１５で取得情報をＢＭＬサーバに格納する。
【００３６】
次に、Ｓ１６で取得情報を集計し、Ｓ１７で集計結果をテレビ３に送信し、Ｓ１８で各サービスで番組案内を行い、Ｓ３３でマーケティングデータとしても活用し番組編成等にも利用する。又は、ＢＭＬサーバーからネットワーク経由でコンテンツを取得し、Ｓ１９で１次リンクＴＯＰメニューを表示し、Ｓ２０でメニューを選択し、Ｓ１８へ番組案内へ移行する。なお、Ｓ１２でＬＡＮ接続なしの場合は、Ｓ２１で利用できないことを案内する。
【００３７】
次に、前記Ｓ１８で番組案内が開始すると、図５のＳ２２で管理サーバ５からお奨め番組や登録番組を取得して案内し、Ｓ２３で番組選択を行うとＳ２４で番組詳細を案内し、Ｓ２５で視聴（録画）予約し、Ｓ２６で機器の対応有無を確認し、Ｓ２７で受信機（テレビ３）にイベント情報を送信して予約を完了する。視聴者はＳ２８で番組を視聴する。
【００３８】
また、Ｓ２６で機器が予約に対応できないときは、Ｓ２９で対応できないことを案内し、Ｓ３０でこのことをメール配信する場合にはＳ３１でメールアドレスを登録し、Ｓ３２でお知らせメールを配信する。
【産業上の利用可能性】
【００３９】
データ放送回線利用によるデジタル放送番組のプロモーションと番組の視聴予約。
【符号の説明】
【００４０】
１  放送局
２  放送衛星
３  テレビ
３ａ  リモコン
４  インターネット回線
５  管理サーバ
【図１】
2011188455.tif 000003
【図２】
2011188455.tif 000004
【図３】
2011188455.tif 000005
【図４】
2011188455.tif 000006
【図５】
2011188455.tif 000007